(57)【要約】  無線端末管理装置（１００）は、通信部（１０１）と、登録部（１０２）と、判断部（１０３）と、更新部（１０４）とを備えている。通信部（１０１）は、無線端末装置と近距離無線通信をおこなう。登録部（１０２）は、通信部（１０１）に接続可能な無線端末装置を示す情報を登録する。判断部（１０３）は、登録部（１０２）に登録されている無線端末装置を示す情報の登録数が通信部（１０１）への接続を許容する数に達しているか否かを判断する。更新部（１０４）は、判断部（１０３）によって無線端末装置を示す情報の登録数が許容する数に達していると判断された場合、登録されていない無線端末装置を示す情報の登録を可能とするように登録部（１０２）に登録されている無線端末装置を示す情報の登録数を更新する。
2009072188.tif 000002
【特許請求の範囲】
【請求項１】
無線端末装置と近距離無線通信をおこなう通信手段を備えた無線端末管理装置において、
前記通信手段に接続可能な前記無線端末装置を示す情報を登録する登録手段と、
前記登録手段に登録されている前記無線端末装置を示す情報の登録数が前記通信手段への接続を許容する数に達しているか否かを判断する判断手段と、
登録されていない無線端末装置が周辺に存在する際に前記判断手段によって前記無線端末装置を示す情報の登録数が前記許容する数に達していると判断された場合、前記登録されていない無線端末装置を示す情報の登録を可能とするように前記登録手段に登録されている前記無線端末装置を示す情報の登録数を更新する更新手段と、
を備えることを特徴とする無線端末管理装置。
【請求項２】
前記無線端末装置と近距離無線通信をおこなった日時を示す履歴情報を取得する取得手段をさらに備え、
前記更新手段は、前記取得手段によって取得された前記履歴情報に基づいて、前記登録手段に登録されている前記無線端末装置を示す情報の登録数を更新することを特徴とする請求項１に記載の無線端末管理装置。
【請求項３】
前記更新手段は、過去に接続した日時が最も古い履歴の前記無線端末装置を示す情報を、前記登録手段から削除することを特徴とする請求項２に記載の無線端末管理装置。
【請求項４】
前記更新手段は、前記通信手段に所定期間接続していない前記無線端末装置を示す情報を、前記登録手段から削除することを特徴とする請求項２に記載の無線端末管理装置。
【請求項５】
周辺の前記無線端末装置を検索する検索手段をさらに備え、
前記更新手段は、前記検索手段の検索結果により、登録されている前記無線端末装置が存在せず、かつ、登録されていない前記無線端末装置が存在する場合に、当該登録されていない前記無線端末装置を示す情報の登録を可能とするように前記登録数を更新して、前記登録手段に当該情報を登録させることを特徴とする請求項１に記載の無線端末管理装置。
【請求項６】
利用者からの更新する旨の入力を受け付ける受付手段と、
前記更新手段による更新の前段階で、利用者に対して更新するか否かの通知をおこなう通知制御手段をさらに備え、
前記更新手段は、前記通知制御手段の制御による通知を受けて前記受付手段が更新する旨の入力を受け付けた場合に、前記登録数を更新することを特徴とする請求項１〜５のいずれか一つに記載の無線端末管理装置。
【請求項７】
無線端末装置と近距離無線通信をおこなう通信手段を備えた無線端末管理装置の無線端末管理方法において、
前記通信手段に接続可能な前記無線端末装置を示す情報を登録する登録工程と、
前記登録工程にて登録された前記無線端末装置を示す情報の登録数が前記通信手段への接続を許容する数に達しているか否かを判断する判断工程と、
登録されていない無線端末装置が周辺に存在する際に前記判断工程にて前記無線端末装置を示す情報の登録数が前記許容する数に達していると判断された場合、前記登録されていない無線端末装置を示す情報の登録を可能とするように登録されている前記無線端末装置を示す情報の登録数を更新する更新工程と、
を含むことを特徴とする無線端末管理方法。
【請求項８】
請求項７に記載の無線端末管理方法をコンピュータに実行させることを特徴とする無線端末管理プログラム。
【請求項９】
請求項８に記載の無線端末管理プログラムを記録したことを特徴とするコンピュータに読み取り可能な記録媒体。
【発明の詳細な説明】
【技術分野】
【０００１】
この発明は、車両などの移動体に搭載される無線端末管理装置、無線端末管理方法、無線端末管理プログラム、および記録媒体に関する。ただし、この発明は、上述した、無線端末管理装置、無線端末管理方法、無線端末管理プログラム、および記録媒体に限られるものではない。
【背景技術】
【０００２】
近年、車両などの移動体には、目的地までの経路を探索し、目的地までを誘導するナビゲーション装置が搭載されている。このようなナビゲーション装置と、携帯電話端末とをＢｌｕｅｔｏｏｔｈ（登録商標）デバイスを介して無線接続し、たとえば、ハンズフリー通話や、インターネット接続などをおこなうことにより、携帯電話端末とナビゲーション装置とを組み合わせた多彩なサービスの提供を可能にした技術が知られている（たとえば、下記特許文献１参照。）。【０００３】
【特許文献１】特開２００６−１８４１０３号公報
【発明の開示】
【発明が解決しようとする課題】
【０００４】
しかしながら、上述した特許文献１に記載の技術は、Ｂｌｕｅｔｏｏｔｈデバイスに接続するために登録することができる携帯電話端末（登録端末）の数に上限があり、登録端末の数が上限に達した場合に携帯電話端末を新規に登録させる際には、利用者が操作入力することにより、不要な登録端末を削除したあとに、登録をおこなわなければならず、利用者にとっては、手間がかかり、煩わしいといった問題が一例として挙げられる。
【課題を解決するための手段】
【０００５】
上述した課題を解決し、目的を達成するため、請求項１の発明にかかる無線端末管理装置は、無線端末装置と近距離無線通信をおこなう通信手段を備えた無線端末管理装置において、前記通信手段に接続可能な前記無線端末装置を示す情報を登録する登録手段と、前記登録手段に登録されている前記無線端末装置を示す情報の登録数が前記通信手段への接続を許容する数に達しているか否かを判断する判断手段と、登録されていない無線端末装置が周辺に存在する際に前記判断手段によって前記無線端末装置を示す情報の登録数が前記許容する数に達していると判断された場合、前記登録されていない無線端末装置を示す情報の登録を可能とするように前記登録手段に登録されている前記無線端末装置を示す情報の登録数を更新する更新手段と、を備えることを特徴とする。【０００６】
また、請求項７に記載の無線端末管理方法は、無線端末装置と近距離無線通信をおこなう通信手段を備えた無線端末管理装置の無線端末管理方法において、前記通信手段に接続可能な前記無線端末装置を示す情報を登録する登録工程と、前記登録工程にて登録された前記無線端末装置を示す情報の登録数が前記通信手段への接続を許容する数に達しているか否かを判断する判断工程と、登録されていない無線端末装置が周辺に存在する際に前記判断工程にて前記無線端末装置を示す情報の登録数が前記許容する数に達していると判断された場合、前記登録されていない無線端末装置を示す情報の登録を可能とするように登録されている前記無線端末装置を示す情報の登録数を更新する更新工程と、を含むことを特徴とする。【０００７】
また、請求項８に記載の無線端末管理プログラムは、請求項７に記載の無線端末管理方法をコンピュータに実行させることを特徴とする。【０００８】
また、請求項９の発明にかかる記録媒体は、請求項８に記載の無線端末管理プログラムをコンピュータに読み取り可能に記録したことを特徴とする。
【図面の簡単な説明】
【０００９】
【図１】図１は、実施の形態にかかる無線端末管理装置の機能的構成の一例を示すブロック図である。
【図２】図２は、本実施の形態にかかる無線端末管理装置の無線端末管理処理手順の一例を示すフローチャートである。
【図３】図３は、本実施例にかかるナビゲーション装置のハードウェア構成の一例を示すブロック図である。
【図４】図４は、本実施例にかかるナビゲーション装置がおこなう無線端末管理処理の一例を示すフローチャートである。
【図５】図５は、古い履歴の携帯電話端末を削除するか否かの通知画面の表示の一例を示す説明図である。
【符号の説明】
【００１０】
１００  無線端末管理装置
１０１  通信部
１０２  登録部
１０３  判断部
１０４  更新部
１０５  認証部
１０６  取得部
１０７  検索部
１０８  受付部
１０９  通知制御部
３００  ナビゲーション装置
【発明を実施するための最良の形態】
【００１１】
以下に添付図面を参照して、この発明にかかる無線端末管理装置、無線端末管理方法、無線端末管理プログラム、および記録媒体の好適な実施の形態を詳細に説明する。【００１２】
（実施の形態）
（無線端末管理装置の機能的構成）
この発明の実施の形態にかかる無線端末管理装置１００の機能的構成について説明する。図１は、実施の形態にかかる無線端末管理装置１００の機能的構成の一例を示すブロック図である。【００１３】
図１において、無線端末管理装置１００は、通信部１０１と、登録部１０２と、判断部１０３と、更新部１０４と、認証部１０５と、取得部１０６と、検索部１０７と、受付部１０８と、通知制御部１０９とを備えている。【００１４】
通信部１０１は、無線端末装置と近距離無線通信をおこなう。通信部１０１は、代表的には、Ｂｌｕｅｔｏｏｔｈデバイスが用いられるが、赤外線通信による送受信をおこなう機器であってもよい。なお、Ｂｌｕｅｔｏｏｔｈは、登録商標である。無線端末装置は、代表的には、携帯電話端末が挙げられるが、無線端末管理装置１００に対して、登録により近距離無線通信をおこなえるＰＣなどの他の無線端末であってもよい。【００１５】
通信部１０１による無線端末装置との接続のタイミングは、たとえば、電源がオンになったときや、利用者からの操作による接続開始の入力があったときが挙げられる。なお、この通信部１０１は、周辺の無線端末装置を検索するために利用する初期通信機能を備える。この初期通信機能は、近距離無線通信機能に限ることなく、他の通信機能も適用できる。【００１６】
登録部１０２は、通信部１０１に接続を許容する数の無線端末装置を示す情報を登録する。許容する数は、通信部１０１ごとに予め設定される数であり、たとえば、通信部１０１がＢｌｕｅｔｏｏｔｈデバイスの場合、当該Ｂｌｕｅｔｏｏｔｈデバイスに登録することのできる数である。登録部１０２は、具体的には、たとえば、無線端末装置の機器ＩＤと、機器ＩＤごとに設定されるＢｌｕｅｔｏｏｔｈデバイスのＩＤとを関連づけることにより、無線端末装置を登録する。【００１７】
判断部１０３は、登録部１０２に登録されている無線端末装置を示す機器ＩＤ等の情報の登録数が無線端末管理装置１００への接続を許容する数（以下、許容する数を「上限」と称して説明する）に達しているか否かを判断する。【００１８】
更新部１０４は、判断部１０３によって無線端末装置を示す情報の登録数が上限に達していると判断された場合、登録部１０２に登録されている無線端末装置を示す情報の登録数を更新する。無線端末装置の更新とは、登録されていない（以下、これを「未登録」と称して説明する）無線端末装置を示す情報の登録を可能とするように、既に登録されている（以下、これを「登録済み」と称して説明する）無線端末装置を示す情報の登録数を変更することである。【００１９】
認証部１０５は、通信部１０１を介して近距離無線通信をおこなう無線端末装置が登録部１０２に登録されている無線端末装置であるかを認証する。具体的には、たとえば、認証部１０５は、無線端末装置の機器ＩＤと、機器ＩＤごとに設定されるＢｌｕｅｔｏｏｔｈデバイスのＩＤとを用いて認証をおこなう。【００２０】
また、本実施の形態において、取得部１０６は、任意の構成要素である。取得部１０６は、無線端末装置と近距離無線通信をおこなった日時を示す履歴情報を取得する。履歴情報は、具体的には、無線端末装置が接続した日時の情報である。この場合、更新部１０４は、取得部１０６によって取得された履歴情報に基づいて、登録部１０２に登録されている無線端末装置を示す情報の登録数を更新する。【００２１】
具体的には、更新部１０４は、過去に接続した日時が最も古い履歴の無線端末装置を示す情報を、登録部１０２から削除してもよい。本構成は、過去に接続した日時の最も古いものについては今後も接続する可能性が低いということを考慮し、過去に接続した日時の最も古いものを削除するようにしたものである。【００２２】
また、更新部１０４は、通信部１０１に所定期間接続していない無線端末装置を示す情報を、登録部１０２から削除してもよい。所定期間は、たとえば、１ヶ月、３ヶ月、１年等、予め設定される任意の期間であり、利用者からの入力により適宜変更可能としてもよい。本構成は、所定期間接続していない、使用頻度の低い無線端末装置を削除することにより、登録部１０２に対して頻繁に接続する無線端末装置のみを登録させておくことを可能にしたものである。【００２３】
また、本実施の形態において、検索部１０７は、任意の構成要素である。検索部１０７は、周辺の無線端末装置を検索する。周辺とは、たとえば、半径１０ｍ程度である。更新部１０４は、検索部１０７の検索結果により、登録済みの無線端末装置が存在せず、かつ、未登録の無線端末装置が存在する場合、未登録の無線端末装置を示す情報の登録を可能とするように登録数を更新して、登録部１０２に当該情報を登録させる。【００２４】
なお、検索部１０７は、周辺の無線端末装置を検索するが、セキュリティの観点から当該検索に対して応答しない、または所定時間（たとえば、３分）の間のみ応答するといった無線端末装置が存在する場合には登録済みの無線端末装置を正確に検索できない場合がある。そのような無線端末装置の存在を考慮して、検索しても登録済みの無線端末装置から応答が得られない場合は、通信部１０１によってＢｌｕｅｔｏｏｔｈによる近距離無線通信接続を試行する。【００２５】
また、本実施の形態において、受付部１０８と、通知制御部１０９とは、任意の構成要素である。受付部１０８は、利用者からの更新する旨の入力を受け付ける。受付部１０８には、操作ボタン、タッチパネル、リモコンなどが用いられる。通知制御部１０９は、更新部１０４による更新の前段階で、利用者に対して更新するか否かの通知をおこなう。通知制御部１０９による通知は、具体的には、音声および表示の少なくとも一つを用いて通知される。この場合、更新部１０４は、通知制御部１０９の制御による通知を受けて受付部１０８が更新する旨の入力を受け付けた場合に、登録数を更新する。【００２６】
（無線端末管理装置の無線端末管理処理手順）
つぎに、図２を用いて、無線端末管理装置１００の無線端末管理処理手順について説明する。図２は、本実施の形態にかかる無線端末管理装置１００の無線端末管理処理手順の一例を示すフローチャートである。【００２７】
図２のフローチャートにおいて、無線端末管理装置１００は、未登録の無線端末装置と接続された際や周辺を検索した結果、未登録の無線端末装置が検索された際に、登録済みの無線端末装置を示す情報の登録数を抽出する（ステップＳ２０１）。そして、登録されている無線端末装置を示す情報の登録数が上限に達しているか否かを判断する（ステップＳ２０２）。【００２８】
登録済みの無線端末装置を示す情報の登録数が上限に達していると判断した場合（ステップＳ２０２：Ｙｅｓ）、未登録の無線端末装置を示す情報の登録を可能とするように登録数を更新し（ステップＳ２０３）、未登録の無線端末装置を示す情報を登録して一連の処理を終了する。【００２９】
一方、登録済みの無線端末装置を示す情報の登録数が上限に達していないと判断した場合（ステップＳ２０２：Ｎｏ）、未登録の無線端末装置を示す情報を登録して一連の処理を終了する。なお、この登録は、たとえば、無線端末装置から機器ＩＤやＢｌｕｅｔｏｏｔｈデバイスのＩＤを取得することによりおこなわれる。【００３０】
以上説明したように、本実施の形態にかかる無線端末管理装置１００によれば、未登録の無線端末装置と接続された際や未登録の無線端末装置が検索された際に、登録済みの無線端末装置を示す情報の登録数が上限に達していると判断された場合に、当該未登録の無線端末装置を示す情報の登録を可能とするように登録済みの無線端末装置を示す情報の登録数を更新するようにしたので、煩雑な操作をともなうことなく、登録済みの無線端末装置を示す情報の登録数を更新することができる。したがって、利用者にとって、無線端末装置の更新に手間のかからない無線端末管理装置１００を提供することができる。【００３１】
また、本実施の形態において、無線端末装置と近距離無線通信をおこなった履歴情報に基づいて、登録済みの無線端末装置を示す情報の登録数を更新するようにすれば、無線端末装置を接続した日時を基準にして、登録済みの無線端末装置を示す情報の登録数を更新することができる。【００３２】
また、本実施の形態において、たとえば、過去に接続した日時が最も古い履歴の無線端末装置を示す情報を削除するようにしてその登録数を更新すれば、煩雑な操作をともなうことなく、今後、接続する可能性の低い無線端末装置を排除することができる。【００３３】
また、本実施の形態において、たとえば、所定期間接続していない無線端末装置を示す情報を、削除するようにして登録数を更新すれば、使用頻度の低い無線端末装置を排除することができるとともに、頻繁に接続する無線端末装置を示す情報のみを登録させておくことが可能になる。【００３４】
また、本実施の形態において、周辺の無線端末装置を検索した結果、登録済みの無線端末装置が存在せず、かつ、未登録の無線端末装置が存在する場合、未登録の無線端末装置を登録するようにすれば、煩雑な操作をともなうことなく、未登録の無線端末装置を示す情報の登録をおこなうことができる。【００３５】
また、本実施の形態において、登録数の更新の前段階で、利用者に対して更新するか否かの通知をおこなうようにし、利用者から更新する旨の入力を受け付けた場合に、無線端末装置を更新するようにすれば、更新の都度、利用者の意思を反映させることができるとともに、簡単に、登録数の更新および未登録の無線端末装置を示す情報の登録をおこなうことができる。
【実施例】
【００３６】
以下に、本発明の実施例について説明する。なお、以下の説明においては、車両に搭載されるナビゲーション装置によって、本発明の無線端末管理装置を実施した場合の一例について説明する。【００３７】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。【００３８】
図３において、ナビゲーション装置３００は、車両などの移動体に搭載されており、携帯電話端末３３０と近距離無線通信が可能になっている。ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＢＴ（Ｂｌｕｅｔｏｏｔｈ）デバイス３１５と、ＧＰＳユニット３１６と、各種センサ３１７と、を備えている。なお、Ｂｌｕｅｔｏｏｔｈは、登録商標である。また、各構成部３０１〜３１７はバス３２０によってそれぞれ接続されている。【００３９】
ＣＰＵ３０１は、ナビゲーション装置３００の全体の制御を司る。ＲＯＭ３０２は、ブートプログラム、現在地点算出プログラム、経路探索プログラム、経路誘導プログラム、無線端末管理プログラムなどの各種プログラムを記録している。また、ＲＡＭ３０３は、ＣＰＵ３０１のワークエリアとして使用される。【００４０】
現在地点算出プログラムは、たとえば、後述するＧＰＳユニット３１６および各種センサ３１７の出力情報に基づいて、車両の現在地点（ナビゲーション装置３００の現在地点）を算出させる。【００４１】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。探索された経路は、ＣＰＵ３０１を介して音声Ｉ／Ｆ３０８や映像Ｉ／Ｆ３１２へ出力される。【００４２】
経路誘導プログラムは、無線端末管理プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１２へ出力される。【００４３】
無線端末管理プログラムは、ＢＴデバイス３１５に接続される携帯電話端末３３０の機器ＩＤやＢＴデバイス３１５のＩＤ（以下ＢＴＩＤという）の登録数が上限に達しているか否かを判断するとともに、登録数が上限に達していると判断した場合に、携帯電話端末３３０と近距離無線通信をおこなった履歴情報に基づいて、登録済みの携帯電話端末３３０の機器ＩＤやＢＴＩＤを削除するプログラムである。【００４４】
また、無線端末管理プログラムは、ナビゲーション装置３００の周辺の携帯電話端末３３０を、後述する通信Ｉ／Ｆ３１４に検索させ、検索結果により、登録済みの携帯電話端末３３０の機器ＩＤが存在せず、かつ、未登録の携帯電話端末３３０の機器ＩＤが存在する場合、未登録の携帯電話端末３３０の機器ＩＤやＢＴＩＤを登録させる。なお、この通信Ｉ／Ｆ３１４による検索は、たとえば、上記した初期通信により周辺の携帯電話端末３３０に対して機器ＩＤの送信を要求し、当該要求に対して応答のあった携帯電話端末３３０の機器ＩＤが登録済み携帯電話端末３３０の機器ＩＤに該当するか否かでおこなわれる。【００４５】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。磁気ディスク３０５には、たとえば、登録済みの携帯電話端末３３０の機器ＩＤやＢＴＩＤ等が記録されており、さらに携帯電話端末３３０と近距離無線通信をおこなった日時が当該携帯電話端末３３０の機器ＩＤやＢＴＩＤごとの履歴情報として記録される。【００４６】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。【００４７】
音声Ｉ／Ｆ３０８は、マイク３０９およびスピーカ３１０に接続される。マイク３０９は、たとえば、車両のサンバイザー付近に設置され、その数は単数でも複数でもよい。マイク３０９に受音された音声は、音声Ｉ／Ｆ３０８内でＡ／Ｄ変換される。【００４８】
スピーカ３１０は、音声を出力する。具体的には、スピーカ３１０からは、経路誘導に関する音声や、ハンズフリー通話時の携帯電話端末３３０による相手先の通話音声が出力される。入力デバイス３１１は、文字、数値、各種指示などの入力のための複数のキーを備えたリモコン、キーボード、マウス、タッチパネルなどが挙げられる。入力デバイス３１１は、リモコン、キーボード、マウス、タッチパネルのうち、いずれか一つの形態によって実現されてもよいし、複数の形態によって実現されてもよい。【００４９】
なお、この入力デバイス３１１を用いて登録済みの携帯電話端末３３０の機器ＩＤ等を削除するための削除操作、または登録済みの携帯電話端末３３０の機器ＩＤ等を所定の条件に従い自動で削除するか否かの設定（オン／オフの設定）をおこなうための入力操作、認証をおこなうためのパスワードの入力操作等が利用者によりおこなわれる。【００５０】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。【００５１】
ディスプレイ３１３には、アイコン、カーソル、メニュー、ウインドウ、あるいは文字や画像などの各種データが表示される。このディスプレイ３１３は、たとえば、ＣＲＴ、ＴＦＴ液晶ディスプレイ、プラズマディスプレイなどを採用することができる。ディスプレイ３１３は、たとえば、車両のダッシュボード付近に設置される。なお、このディスプレイ３１３は、未登録の携帯電話端末３３０に対する機器ＩＤ等の登録を携帯電話端末からおこなうことを促すメッセージや登録済みの携帯電話端末３３０の機器ＩＤ等の削除を促す通知等が表示される。【００５２】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。【００５３】
また、通信Ｉ／Ｆ３１４は、ＢＴデバイス３１５を含む。ＢＴデバイス３１５は、携帯電話端末３３０と近距離無線通信をおこない、ハンズフリー通話時の音声情報やインターネットのサイト情報などの送受信をおこなう。ＢＴデバイス３１５は、たとえば、２．４ＧＨｚの電波を利用し、認証した周辺１０ｍ範囲内の携帯電話端末３３０と通信をおこなう。【００５４】
ＧＰＳユニット３１６は、ＧＰＳ衛星からの電波を受信し、車両の現在地点を示す情報を出力する。ＧＰＳユニット３１６の出力情報は、後述する各種センサ３１７の出力値とともに、ＣＰＵ３０１による車両の現在地点の算出に際して利用される。現在地点を示す情報は、たとえば緯度・経度、高度などの、地図データ上の１点を特定する情報である。【００５５】
各種センサ３１７は、車速センサ、加速度センサ、角速度センサなどの、車両の位置や挙動を判断することが可能な情報を出力する。各種センサ３１７の出力値は、ＣＰＵ３０１による車両の現在地点の算出や、速度や方位の変化量の測定などに用いられる。【００５６】
図１に示した無線端末管理装置１００が備える通信部１０１と、登録部１０２と、判断部１０３と、更新部１０４と、認証部１０５と、取得部１０６と、検索部１０７と、受付部１０８と、通知制御部１０９とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００５７】
すなわち、本実施例のナビゲーション装置３００は、ナビゲーション装置３００における記録媒体としてのＲＯＭ３０２に記録されている無線端末管理プログラムを実行することにより、図１に示した無線端末管理装置１００が備える機能を、図２に示した無線端末管理処理手順で実行することができる。【００５８】
（ナビゲーション装置がおこなう無線端末管理処理の一例）
つぎに、図４を用いて、本実施例にかかるナビゲーション装置３００がおこなう無線端末管理処理の一例について説明する。図４は、本実施例にかかるナビゲーション装置３００がおこなう無線端末管理処理の一例を示すフローチャートである。【００５９】
図４において、ナビゲーション装置３００は、携帯電話端末３３０と接続するタイミングか否かを判断する（ステップＳ４０１）。ステップＳ４０１における携帯電話端末３３０と接続するタイミングは、たとえば、アクセサリー電源がオンになったとき、やナビゲーション装置の電源がオンになったときが挙げられる。ステップＳ４０１において、携帯電話端末３３０と接続するタイミングとなるまで待機状態にある（ステップＳ４０１：Ｎｏのループ）。【００６０】
ステップＳ４０１において、携帯電話端末３３０と接続するタイミングであると判断すると（ステップＳ４０１：Ｙｅｓ）、通信Ｉ／Ｆ３１４を制御して、初期通信により機器ＩＤの送信を要求する旨の情報を発信し、周辺の登録済みの携帯電話端末３３０を検索する（ステップＳ４０２）。そして、当該要求に対し携帯電話端末３３０からの応答があるか否かを判断する（ステップＳ４０３）。【００６１】
たとえば、携帯電話端末３３０から当該携帯電話端末３３０の機器ＩＤ等を通信Ｉ／Ｆ３１４を介して受信したか否かで判断する。応答がないと判断した場合（ステップＳ４０３：Ｎｏ）には、当該要求をしてから所定時間が経過したかを判断する（ステップＳ４０４）。なお、この所定時間が経過したかの判断は、たとえば、所定時間のみという制限付きで当該要求に応答するという機能を有する携帯電話端末３３０を配慮したものである。【００６２】
そして、所定時間が経過していないと判断した場合（ステップＳ４０４：Ｎｏ）には、ステップＳ４０２に戻り当該所定時間が経過するまで検索をおこなう。所定時間が経過したと判断した場合（ステップＳ４０４：Ｙｅｓ）には、ＢＴデバイス３１５による近距離無線通信の接続をおこなう（ステップＳ４０５）。たとえば、登録済みの携帯電話端末３３０のうち前回接続した携帯電話端末３３０のみに対して接続を試行したり、または、登録済みの携帯電話端末３３０のすべてに対して順次接続を試行したりしておこなわれる。【００６３】
携帯電話端末３３０からの応答があった場合（ステップＳ４０３：Ｙｅｓ）にはステップＳ４０５に移行しＢＴデバイス３１５による近距離無線通信の接続をおこなう。そして、登録済みの携帯電話端末３３０と近距離無線通信の接続が成功したか否かを判断する（ステップＳ４０６）。接続が成功したと判断した場合（ステップＳ４０６：Ｙｅｓ）には、一連の処理を終了する。接続が成功しないと判断した場合（ステップＳ４０６：Ｎｏ）には、未登録の携帯電話端末３３０が周辺に存在するか否かを判断する（ステップＳ４０７）。【００６４】
なお、この登録済みの携帯電話端末３３０との近距離無線通信の接続が成功したか否かは、たとえば、当該携帯電話端末３３０からの機器ＩＤや機器名等の情報の受信が成功したか否かで判断することができる。また、未登録の携帯電話端末３３０が周辺に存在するか否かは、周辺の登録済みの携帯電話端末３３０を検索した際、または近距離無線通信の接続をおこなった際に未登録の携帯電話端末３３０の機器ＩＤや機器名等を受信したか否かで判断することができる。【００６５】
未登録の携帯電話端末３３０が周辺に存在しないと判断した場合（ステップＳ４０７：Ｎｏ）には、利用者に対し携帯電話端末３３０から登録を促すメッセージを表示する（ステップＳ４１４）。未登録の携帯電話端末３３０が周辺に存在すると判断した場合（ステップＳ４０７：Ｙｅｓ）、たとえば、未登録の携帯電話端末３３０が検索された場合には、ＢＴデバイス３１５への接続を許容する登録済みの携帯電話端末３３０の登録数が上限に達しているか否かを判断する（ステップＳ４０８）。【００６６】
なお、ステップＳ４１４において携帯電話端末３３０から登録を促すメッセージを表示した後は、携帯電話端末３３０によっておこなわれる登録に対する処理をおこなう。つまり、携帯電話端末３３０によっておこなわれるナビゲーション装置３００の検索に対し当該ナビゲーション装置３００が応答することでステップＳ４０７での未登録の携帯電話端末が周辺に存在すると判断し（ステップＳ４０７：Ｙｅｓ）、ステップＳ４０８以降の処理をおこなう。【００６７】
登録済みの携帯電話端末３３０の登録数が上限に達していると判断した場合（ステップＳ４０８：Ｙｅｓ）には、登録済みの携帯電話端末３３０のうち過去に接続した日時が最も古い履歴の携帯電話端末３３０の機器ＩＤ等を抽出する（ステップＳ４０９）。なお、ステップＳ４０９においては、過去に接続した日時が最も古い履歴の携帯電話端末３３０を抽出することに限らず、所定期間接続していない携帯電話端末３３０を抽出するようにしてもよい。【００６８】
そして、自動削除設定がオンになっているか否かを判断する（ステップＳ４１０）。なお、自動削除設定は、利用者からの入力を要することなく、登録済みの携帯電話端末３３０の機器ＩＤ等を削除するための設定であり、また予め設定されるものであり、利用者からの入力により、適宜、変更可能とされる。【００６９】
自動削除設定がオンになっていると判断した場合（ステップＳ４１０：Ｙｅｓ）、最も古い履歴の登録済みの携帯電話端末３３０の機器ＩＤ等を削除する（ステップＳ４１１）。そして、周辺に存在する未登録の携帯電話端末３３０から機器ＩＤ等を取得する（ステップＳ４１２）。なお、この機器ＩＤ等は、上述した検索の際に取得した機器ＩＤ等や、近距離無線通信の接続の際に取得した機器ＩＤをメモリ等に記録しておいて当該メモリ等から取得してもよく、また、取得要求を携帯電話端末３３０に発信して取得するようにしてもよい。そして、取得した機器ＩＤ等を登録、すなわち、磁気ディスク３０５に記録するとともに接続日時を更新し（ステップＳ４１３）、一連の処理を終了する。【００７０】
また、ＢＴデバイス３１５への接続を許容する携帯電話端末３３０の登録数が上限に達していないと判断した場合（ステップＳ４０８：Ｎｏ）、ステップＳ４１２に移行する。自動削除設定がオンになっていないと判断した場合（ステップＳ４１０：Ｎｏ）、つまり、自動削除設定がオフになっていると判断した場合には、ステップＳ４０９において抽出した最も古い履歴の携帯電話端末３３０の機器ＩＤ等を示す情報を削除するか否かの入力を促す通知をおこなう（ステップＳ４１５）。なお、ステップＳ４１５における通知は、図５に示す画面表示にておこなわれる。なお、この図５の画面表示については後述する。【００７１】
このあと、利用者により「削除する」が選択されたか否かを判断する（ステップＳ４１６）。利用者により「削除する」が選択された場合（ステップＳ４１６：Ｙｅｓ）には、ステップＳ４１１に移行する。また、「削除しない」が選択された場合（ステップＳ４１６：Ｎｏ）には、一連の処理を終了する。なお、この「削除しない」が選択された際に未登録の携帯電話端末３３０の登録をおこなわない旨を表示するようにしてもよい。【００７２】
（古い履歴の携帯電話端末を削除するか否かの通知画面の表示の一例）
つぎに、図５を用いて、最も古い履歴の携帯電話端末を削除するか否かの通知画面の表示の一例について説明する。図５は、最も古い履歴の携帯電話端末を削除するか否かの通知画面の表示の一例を示す説明図である。なお、図５に示す通知画面は、ステップＳ４１５において通知される画面を示している。【００７３】
図５において、通知画面５００には、登録済みの携帯電話端末３３０を示す情報の登録数が上限に達した旨と、最も古い履歴の携帯電話端末３３０を削除するか否かの入力を促す通知がされている。この通知画面５００において、利用者から「削除する」が選択されると、上述したように、過去に接続した日時が最も古い履歴の携帯電話端末３３０を示す情報が削除される。【００７４】
また、利用者から「削除しない」が選択されると、未登録の携帯電話端末３３０を登録することなく、現時点における携帯電話端末３３０の登録を保持するようになっている。なお、最も古い履歴の携帯電話端末３３０を削除するか否かの入力を促す通知とともに、過去に接続された日時を表示するようにしてもよい。【００７５】
以上説明したように、本実施例にかかるナビゲーション装置３００によれば、登録済みの携帯電話端末３３０を示す情報の登録数が上限に達していると判断された場合に、登録済みの携帯電話端末３３０を示す情報の登録数を更新するようにしたので、煩雑な操作をともなうことなく、登録数の更新ならびに未登録の携帯電話端末３３０を示す情報の登録をおこなうことができる。したがって、利用者にとって、携帯電話端末３３０の更新に手間のかからないナビゲーション装置３００を提供することができる。【００７６】
また、本実施例において、携帯電話端末３３０と近距離無線通信をおこなった履歴情報に基づいて、登録済みの携帯電話端末３３０を示す情報の登録数を更新するようにしたので、携帯電話端末３３０を接続した日時を基準にして、登録済みの携帯電話端末３３０の機器ＩＤ等の削除による登録数の更新、または未登録の携帯電話端末３３０の機器ＩＤ等を登録することができる。【００７７】
また、本実施例において、過去に接続した日時が最も古い履歴の携帯電話端末３３０を示す情報を削除するようにしたので、煩雑な操作をともなうことなく、今後、接続する可能性の低い携帯電話端末３３０を削除することができる。【００７８】
また、本実施例において、所定期間接続していない携帯電話端末３３０を示す情報を、削除するようにすれば、使用頻度の低い携帯電話端末３３０を示す情報を削除することができるとともに、頻繁に接続する携帯電話端末３３０を示す情報のみを登録させておくことが可能になる。【００７９】
また、本実施例において、周辺の登録済みの携帯電話端末３３０を検索した結果、登録済みの携帯電話端末３３０が存在せず、かつ、未登録の携帯電話端末３３０が存在する場合、登録済みの携帯電話端末３３０を示す情報の登録数を更新して未登録の携帯電話端末３３０を示す情報を登録するようにしたので、煩雑な操作をともなうことなく、登録の削除および新規の登録をおこなうことができる。【００８０】
また、本実施例において、登録数の更新の前段階で、利用者に対して更新するか否かの通知をおこなうようにし、利用者から更新する旨の入力を受け付けた場合に、登録済みの携帯電話端末３３０の登録数を更新するようにしたので、更新の都度、利用者の意思を反映させることができるとともに、簡単に、登録の削除および新規の登録をおこなうことができる。【００８１】
以上説明したように、本発明の無線端末管理装置、無線端末管理方法、無線端末管理プログラム、および記録媒体によれば、煩雑な操作をともなうことなく、登録の削除および新規の登録をおこなうことができる。【００８２】
なお、本実施例で説明した無線端末管理方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2009072188.tif 000003
【図２】
2009072188.tif 000004
【図３】
2009072188.tif 000005
【図４】
2009072188.tif 000006
【図５】
2009072188.tif 000007
【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
無線端末装置と近距離無線通信をおこなう通信手段を備えた無線端末管理装置において、
前記通信手段に接続可能な前記無線端末装置を示す情報を登録する登録手段と、
前記登録手段に登録されている前記無線端末装置を示す情報の登録数が前記通信手段への接続を許容する数に達しているか否かを判断する判断手段と、
登録されていない無線端末装置が周辺に存在する際に前記判断手段によって前記無線端末装置を示す情報の登録数が前記許容する数に達していると判断された場合、前記登録されていない無線端末装置を示す情報の登録を可能とするように前記登録手段に登録されている前記無線端末装置を示す情報の登録数を更新する更新手段と、
周辺の前記無線端末装置を検索する検索手段と、
を備え、
前記更新手段は、前記検索手段の検索結果により、登録されている前記無線端末装置が存在せず、かつ、登録されていない前記無線端末装置が存在する場合に、当該登録されていない前記無線端末装置を示す情報の登録を可能とするように前記登録数を更新して、前記登録手段に当該情報を登録させることを特徴とする無線端末管理装置。
【請求項２】
前記無線端末装置と近距離無線通信をおこなった日時を示す履歴情報を取得する取得手段をさらに備え、
前記更新手段は、前記取得手段によって取得された前記履歴情報に基づいて、前記登録手段に登録されている前記無線端末装置を示す情報の登録数を更新することを特徴とする請求項１に記載の無線端末管理装置。
【請求項３】
前記更新手段は、過去に接続した日時が最も古い履歴の前記無線端末装置を示す情報を、前記登録手段から削除することを特徴とする請求項２に記載の無線端末管理装置。
【請求項４】
前記更新手段は、前記通信手段に所定期間接続していない前記無線端末装置を示す情報を、前記登録手段から削除することを特徴とする請求項２に記載の無線端末管理装置。
【請求項５】
利用者からの更新する旨の入力を受け付ける受付手段と、
前記更新手段による更新の前段階で、利用者に対して更新するか否かの通知をおこなう通知制御手段をさらに備え、
前記更新手段は、前記通知制御手段の制御による通知を受けて前記受付手段が更新する旨の入力を受け付けた場合に、前記登録数を更新することを特徴とする請求項１〜４のいずれか一つに記載の無線端末管理装置。
【請求項６】
無線端末装置と近距離無線通信をおこなう通信手段を備えた無線端末管理装置の無線端末管理方法において、
前記通信工程に接続可能な前記無線端末装置を示す情報を登録する登録工程と、
前記登録工程に登録されている前記無線端末装置を示す情報の登録数が前記通信工程への接続を許容する数に達しているか否かを判断する判断工程と、
登録されていない無線端末装置が周辺に存在する際に前記判断工程によって前記無線端末装置を示す情報の登録数が前記許容する数に達していると判断された場合、前記登録されていない無線端末装置を示す情報の登録を可能とするように前記登録工程に登録されている前記無線端末装置を示す情報の登録数を更新する更新工程と、
周辺の前記無線端末装置を検索する検索工程と、
を含み、
前記更新工程は、前記検索工程の検索結果により、登録されている前記無線端末装置が存在せず、かつ、登録されていない前記無線端末装置が存在する場合に、当該登録されていない前記無線端末装置を示す情報の登録を可能とするように前記登録数を更新して、前記登録工程に当該情報を登録させることを特徴とする無線端末管理方法。
【請求項７】
請求項６に記載の無線端末管理方法をコンピュータに実行させることを特徴とする無線端末管理プログラム。
【請求項８】
請求項７に記載の無線端末管理プログラムを記録したことを特徴とするコンピュータに読み取り可能な記録媒体。
【手続補正２】
【補正対象書類名】明細書
【補正対象項目名】全文
【補正方法】変更
【補正の内容】
【発明の詳細な説明】
【技術分野】
【０００１】
この発明は、車両などの移動体に搭載される無線端末管理装置、無線端末管理方法、無線端末管理プログラム、および記録媒体に関する。ただし、この発明は、上述した、無線端末管理装置、無線端末管理方法、無線端末管理プログラム、および記録媒体に限られるものではない。
【背景技術】
【０００２】
近年、車両などの移動体には、目的地までの経路を探索し、目的地までを誘導するナビゲーション装置が搭載されている。このようなナビゲーション装置と、携帯電話端末とをＢｌｕｅｔｏｏｔｈ（登録商標）デバイスを介して無線接続し、たとえば、ハンズフリー通話や、インターネット接続などをおこなうことにより、携帯電話端末とナビゲーション装置とを組み合わせた多彩なサービスの提供を可能にした技術が知られている（たとえば、下記特許文献１参照。）。
【先行技術文献】
【特許文献】
【０００３】
【特許文献１】特開２００６−１８４１０３号公報
【発明の概要】
【発明が解決しようとする課題】
【０００４】
しかしながら、上述した特許文献１に記載の技術は、Ｂｌｕｅｔｏｏｔｈデバイスに接続するために登録することができる携帯電話端末（登録端末）の数に上限があり、登録端末の数が上限に達した場合に携帯電話端末を新規に登録させる際には、利用者が操作入力することにより、不要な登録端末を削除したあとに、登録をおこなわなければならず、利用者にとっては、手間がかかり、煩わしいといった問題が一例として挙げられる。
【課題を解決するための手段】
【０００５】
上述した課題を解決し、目的を達成するため、請求項１の発明にかかる無線端末管理装置は、無線端末装置と近距離無線通信をおこなう通信手段を備えた無線端末管理装置において、前記通信手段に接続可能な前記無線端末装置を示す情報を登録する登録手段と、前記登録手段に登録されている前記無線端末装置を示す情報の登録数が前記通信手段への接続を許容する数に達しているか否かを判断する判断手段と、登録されていない無線端末装置が周辺に存在する際に前記判断手段によって前記無線端末装置を示す情報の登録数が前記許容する数に達していると判断された場合、前記登録されていない無線端末装置を示す情報の登録を可能とするように前記登録手段に登録されている前記無線端末装置を示す情報の登録数を更新する更新手段と、周辺の前記無線端末装置を検索する検索手段と、を備え、前記更新手段は、前記検索手段の検索結果により、登録されている前記無線端末装置が存在せず、かつ、登録されていない前記無線端末装置が存在する場合に、当該登録されていない前記無線端末装置を示す情報の登録を可能とするように前記登録数を更新して、前記登録手段に当該情報を登録させることを特徴とする。
【０００６】
また、請求項６に記載の無線端末管理方法は、無線端末装置と近距離無線通信をおこなう通信手段を備えた無線端末管理装置の無線端末管理方法において、前記通信工程に接続可能な前記無線端末装置を示す情報を登録する登録工程と、前記登録工程に登録されている前記無線端末装置を示す情報の登録数が前記通信工程への接続を許容する数に達しているか否かを判断する判断工程と、登録されていない無線端末装置が周辺に存在する際に前記判断工程によって前記無線端末装置を示す情報の登録数が前記許容する数に達していると判断された場合、前記登録されていない無線端末装置を示す情報の登録を可能とするように前記登録工程に登録されている前記無線端末装置を示す情報の登録数を更新する更新工程と、周辺の前記無線端末装置を検索する検索工程と、を含み、前記更新工程は、前記検索工程の検索結果により、登録されている前記無線端末装置が存在せず、かつ、登録されていない前記無線端末装置が存在する場合に、当該登録されていない前記無線端末装置を示す情報の登録を可能とするように前記登録数を更新して、前記登録工程に当該情報を登録させることを特徴とする。
【０００７】
また、請求項７に記載の無線端末管理プログラムは、請求項６に記載の無線端末管理方法をコンピュータに実行させることを特徴とする。
【０００８】
また、請求項８の発明にかかる記録媒体は、請求項７に記載の無線端末管理プログラムをコンピュータに読み取り可能に記録したことを特徴とする。
【図面の簡単な説明】
【０００９】
【図１】実施の形態にかかる無線端末管理装置の機能的構成の一例を示すブロック図である。
【図２】本実施の形態にかかる無線端末管理装置の無線端末管理処理手順の一例を示すフローチャートである。
【図３】本実施例にかかるナビゲーション装置のハードウェア構成の一例を示すブロック図である。
【図４】本実施例にかかるナビゲーション装置がおこなう無線端末管理処理の一例を示すフローチャートである。
【図５】古い履歴の携帯電話端末を削除するか否かの通知画面の表示の一例を示す説明図である。
【発明を実施するための形態】
【００１０】
以下に添付図面を参照して、この発明にかかる無線端末管理装置、無線端末管理方法、無線端末管理プログラム、および記録媒体の好適な実施の形態を詳細に説明する。
【００１１】
（実施の形態）
（無線端末管理装置の機能的構成）
この発明の実施の形態にかかる無線端末管理装置１００の機能的構成について説明する。図１は、実施の形態にかかる無線端末管理装置１００の機能的構成の一例を示すブロック図である。
【００１２】
図１において、無線端末管理装置１００は、通信部１０１と、登録部１０２と、判断部１０３と、更新部１０４と、認証部１０５と、取得部１０６と、検索部１０７と、受付部１０８と、通知制御部１０９とを備えている。
【００１３】
通信部１０１は、無線端末装置と近距離無線通信をおこなう。通信部１０１は、代表的には、Ｂｌｕｅｔｏｏｔｈデバイスが用いられるが、赤外線通信による送受信をおこなう機器であってもよい。なお、Ｂｌｕｅｔｏｏｔｈは、登録商標である。無線端末装置は、代表的には、携帯電話端末が挙げられるが、無線端末管理装置１００に対して、登録により近距離無線通信をおこなえるＰＣなどの他の無線端末であってもよい。
【００１４】
通信部１０１による無線端末装置との接続のタイミングは、たとえば、電源がオンになったときや、利用者からの操作による接続開始の入力があったときが挙げられる。なお、この通信部１０１は、周辺の無線端末装置を検索するために利用する初期通信機能を備える。この初期通信機能は、近距離無線通信機能に限ることなく、他の通信機能も適用できる。
【００１５】
登録部１０２は、通信部１０１に接続を許容する数の無線端末装置を示す情報を登録する。許容する数は、通信部１０１ごとに予め設定される数であり、たとえば、通信部１０１がＢｌｕｅｔｏｏｔｈデバイスの場合、当該Ｂｌｕｅｔｏｏｔｈデバイスに登録することのできる数である。登録部１０２は、具体的には、たとえば、無線端末装置の機器ＩＤと、機器ＩＤごとに設定されるＢｌｕｅｔｏｏｔｈデバイスのＩＤとを関連づけることにより、無線端末装置を登録する。
【００１６】
判断部１０３は、登録部１０２に登録されている無線端末装置を示す機器ＩＤ等の情報の登録数が無線端末管理装置１００への接続を許容する数（以下、許容する数を「上限」と称して説明する）に達しているか否かを判断する。
【００１７】
更新部１０４は、判断部１０３によって無線端末装置を示す情報の登録数が上限に達していると判断された場合、登録部１０２に登録されている無線端末装置を示す情報の登録数を更新する。無線端末装置の更新とは、登録されていない（以下、これを「未登録」と称して説明する）無線端末装置を示す情報の登録を可能とするように、既に登録されている（以下、これを「登録済み」と称して説明する）無線端末装置を示す情報の登録数を変更することである。
【００１８】
認証部１０５は、通信部１０１を介して近距離無線通信をおこなう無線端末装置が登録部１０２に登録されている無線端末装置であるかを認証する。具体的には、たとえば、認証部１０５は、無線端末装置の機器ＩＤと、機器ＩＤごとに設定されるＢｌｕｅｔｏｏｔｈデバイスのＩＤとを用いて認証をおこなう。
【００１９】
また、本実施の形態において、取得部１０６は、任意の構成要素である。取得部１０６は、無線端末装置と近距離無線通信をおこなった日時を示す履歴情報を取得する。履歴情報は、具体的には、無線端末装置が接続した日時の情報である。この場合、更新部１０４は、取得部１０６によって取得された履歴情報に基づいて、登録部１０２に登録されている無線端末装置を示す情報の登録数を更新する。
【００２０】
具体的には、更新部１０４は、過去に接続した日時が最も古い履歴の無線端末装置を示す情報を、登録部１０２から削除してもよい。本構成は、過去に接続した日時の最も古いものについては今後も接続する可能性が低いということを考慮し、過去に接続した日時の最も古いものを削除するようにしたものである。
【００２１】
また、更新部１０４は、通信部１０１に所定期間接続していない無線端末装置を示す情報を、登録部１０２から削除してもよい。所定期間は、たとえば、１ヶ月、３ヶ月、１年等、予め設定される任意の期間であり、利用者からの入力により適宜変更可能としてもよい。本構成は、所定期間接続していない、使用頻度の低い無線端末装置を削除することにより、登録部１０２に対して頻繁に接続する無線端末装置のみを登録させておくことを可能にしたものである。
【００２２】
また、本実施の形態において、検索部１０７は、任意の構成要素である。検索部１０７は、周辺の無線端末装置を検索する。周辺とは、たとえば、半径１０ｍ程度である。更新部１０４は、検索部１０７の検索結果により、登録済みの無線端末装置が存在せず、かつ、未登録の無線端末装置が存在する場合、未登録の無線端末装置を示す情報の登録を可能とするように登録数を更新して、登録部１０２に当該情報を登録させる。
【００２３】
なお、検索部１０７は、周辺の無線端末装置を検索するが、セキュリティの観点から当該検索に対して応答しない、または所定時間（たとえば、３分）の間のみ応答するといった無線端末装置が存在する場合には登録済みの無線端末装置を正確に検索できない場合がある。そのような無線端末装置の存在を考慮して、検索しても登録済みの無線端末装置から応答が得られない場合は、通信部１０１によってＢｌｕｅｔｏｏｔｈによる近距離無線通信接続を試行する。
【００２４】
また、本実施の形態において、受付部１０８と、通知制御部１０９とは、任意の構成要素である。受付部１０８は、利用者からの更新する旨の入力を受け付ける。受付部１０８には、操作ボタン、タッチパネル、リモコンなどが用いられる。通知制御部１０９は、更新部１０４による更新の前段階で、利用者に対して更新するか否かの通知をおこなう。通知制御部１０９による通知は、具体的には、音声および表示の少なくとも一つを用いて通知される。この場合、更新部１０４は、通知制御部１０９の制御による通知を受けて受付部１０８が更新する旨の入力を受け付けた場合に、登録数を更新する。
【００２５】
（無線端末管理装置の無線端末管理処理手順）
つぎに、図２を用いて、無線端末管理装置１００の無線端末管理処理手順について説明する。図２は、本実施の形態にかかる無線端末管理装置１００の無線端末管理処理手順の一例を示すフローチャートである。
【００２６】
図２のフローチャートにおいて、無線端末管理装置１００は、未登録の無線端末装置と接続された際や周辺を検索した結果、未登録の無線端末装置が検索された際に、登録済みの無線端末装置を示す情報の登録数を抽出する（ステップＳ２０１）。そして、登録されている無線端末装置を示す情報の登録数が上限に達しているか否かを判断する（ステップＳ２０２）。
【００２７】
登録済みの無線端末装置を示す情報の登録数が上限に達していると判断した場合（ステップＳ２０２：Ｙｅｓ）、未登録の無線端末装置を示す情報の登録を可能とするように登録数を更新し（ステップＳ２０３）、未登録の無線端末装置を示す情報を登録して一連の処理を終了する。
【００２８】
一方、登録済みの無線端末装置を示す情報の登録数が上限に達していないと判断した場合（ステップＳ２０２：Ｎｏ）、未登録の無線端末装置を示す情報を登録して一連の処理を終了する。なお、この登録は、たとえば、無線端末装置から機器ＩＤやＢｌｕｅｔｏｏｔｈデバイスのＩＤを取得することによりおこなわれる。
【００２９】
以上説明したように、本実施の形態にかかる無線端末管理装置１００によれば、未登録の無線端末装置と接続された際や未登録の無線端末装置が検索された際に、登録済みの無線端末装置を示す情報の登録数が上限に達していると判断された場合に、当該未登録の無線端末装置を示す情報の登録を可能とするように登録済みの無線端末装置を示す情報の登録数を更新するようにしたので、煩雑な操作をともなうことなく、登録済みの無線端末装置を示す情報の登録数を更新することができる。したがって、利用者にとって、無線端末装置の更新に手間のかからない無線端末管理装置１００を提供することができる。
【００３０】
また、本実施の形態において、無線端末装置と近距離無線通信をおこなった履歴情報に基づいて、登録済みの無線端末装置を示す情報の登録数を更新するようにすれば、無線端末装置を接続した日時を基準にして、登録済みの無線端末装置を示す情報の登録数を更新することができる。
【００３１】
また、本実施の形態において、たとえば、過去に接続した日時が最も古い履歴の無線端末装置を示す情報を削除するようにしてその登録数を更新すれば、煩雑な操作をともなうことなく、今後、接続する可能性の低い無線端末装置を排除することができる。
【００３２】
また、本実施の形態において、たとえば、所定期間接続していない無線端末装置を示す情報を、削除するようにして登録数を更新すれば、使用頻度の低い無線端末装置を排除することができるとともに、頻繁に接続する無線端末装置を示す情報のみを登録させておくことが可能になる。
【００３３】
また、本実施の形態において、周辺の無線端末装置を検索した結果、登録済みの無線端末装置が存在せず、かつ、未登録の無線端末装置が存在する場合、未登録の無線端末装置を登録するようにすれば、煩雑な操作をともなうことなく、未登録の無線端末装置を示す情報の登録をおこなうことができる。
【００３４】
また、本実施の形態において、登録数の更新の前段階で、利用者に対して更新するか否かの通知をおこなうようにし、利用者から更新する旨の入力を受け付けた場合に、無線端末装置を更新するようにすれば、更新の都度、利用者の意思を反映させることができるとともに、簡単に、登録数の更新および未登録の無線端末装置を示す情報の登録をおこなうことができる。
【実施例】
【００３５】
以下に、本発明の実施例について説明する。なお、以下の説明においては、車両に搭載されるナビゲーション装置によって、本発明の無線端末管理装置を実施した場合の一例について説明する。
【００３６】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。
【００３７】
図３において、ナビゲーション装置３００は、車両などの移動体に搭載されており、携帯電話端末３３０と近距離無線通信が可能になっている。ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＢＴ（Ｂｌｕｅｔｏｏｔｈ）デバイス３１５と、ＧＰＳユニット３１６と、各種センサ３１７と、を備えている。なお、Ｂｌｕｅｔｏｏｔｈは、登録商標である。また、各構成部３０１〜３１７はバス３２０によってそれぞれ接続されている。
【００３８】
ＣＰＵ３０１は、ナビゲーション装置３００の全体の制御を司る。ＲＯＭ３０２は、ブートプログラム、現在地点算出プログラム、経路探索プログラム、経路誘導プログラム、無線端末管理プログラムなどの各種プログラムを記録している。また、ＲＡＭ３０３は、ＣＰＵ３０１のワークエリアとして使用される。
【００３９】
現在地点算出プログラムは、たとえば、後述するＧＰＳユニット３１６および各種センサ３１７の出力情報に基づいて、車両の現在地点（ナビゲーション装置３００の現在地点）を算出させる。
【００４０】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。探索された経路は、ＣＰＵ３０１を介して音声Ｉ／Ｆ３０８や映像Ｉ／Ｆ３１２へ出力される。
【００４１】
経路誘導プログラムは、無線端末管理プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１２へ出力される。
【００４２】
無線端末管理プログラムは、ＢＴデバイス３１５に接続される携帯電話端末３３０の機器ＩＤやＢＴデバイス３１５のＩＤ（以下ＢＴＩＤという）の登録数が上限に達しているか否かを判断するとともに、登録数が上限に達していると判断した場合に、携帯電話端末３３０と近距離無線通信をおこなった履歴情報に基づいて、登録済みの携帯電話端末３３０の機器ＩＤやＢＴＩＤを削除するプログラムである。
【００４３】
また、無線端末管理プログラムは、ナビゲーション装置３００の周辺の携帯電話端末３３０を、後述する通信Ｉ／Ｆ３１４に検索させ、検索結果により、登録済みの携帯電話端末３３０の機器ＩＤが存在せず、かつ、未登録の携帯電話端末３３０の機器ＩＤが存在する場合、未登録の携帯電話端末３３０の機器ＩＤやＢＴＩＤを登録させる。なお、この通信Ｉ／Ｆ３１４による検索は、たとえば、上記した初期通信により周辺の携帯電話端末３３０に対して機器ＩＤの送信を要求し、当該要求に対して応答のあった携帯電話端末３３０の機器ＩＤが登録済み携帯電話端末３３０の機器ＩＤに該当するか否かでおこなわれる。
【００４４】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。磁気ディスク３０５には、たとえば、登録済みの携帯電話端末３３０の機器ＩＤやＢＴＩＤ等が記録されており、さらに携帯電話端末３３０と近距離無線通信をおこなった日時が当該携帯電話端末３３０の機器ＩＤやＢＴＩＤごとの履歴情報として記録される。
【００４５】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。
【００４６】
音声Ｉ／Ｆ３０８は、マイク３０９およびスピーカ３１０に接続される。マイク３０９は、たとえば、車両のサンバイザー付近に設置され、その数は単数でも複数でもよい。マイク３０９に受音された音声は、音声Ｉ／Ｆ３０８内でＡ／Ｄ変換される。
【００４７】
スピーカ３１０は、音声を出力する。具体的には、スピーカ３１０からは、経路誘導に関する音声や、ハンズフリー通話時の携帯電話端末３３０による相手先の通話音声が出力される。入力デバイス３１１は、文字、数値、各種指示などの入力のための複数のキーを備えたリモコン、キーボード、マウス、タッチパネルなどが挙げられる。入力デバイス３１１は、リモコン、キーボード、マウス、タッチパネルのうち、いずれか一つの形態によって実現されてもよいし、複数の形態によって実現されてもよい。
【００４８】
なお、この入力デバイス３１１を用いて登録済みの携帯電話端末３３０の機器ＩＤ等を削除するための削除操作、または登録済みの携帯電話端末３３０の機器ＩＤ等を所定の条件に従い自動で削除するか否かの設定（オン／オフの設定）をおこなうための入力操作、認証をおこなうためのパスワードの入力操作等が利用者によりおこなわれる。
【００４９】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００５０】
ディスプレイ３１３には、アイコン、カーソル、メニュー、ウインドウ、あるいは文字や画像などの各種データが表示される。このディスプレイ３１３は、たとえば、ＣＲＴ、ＴＦＴ液晶ディスプレイ、プラズマディスプレイなどを採用することができる。ディスプレイ３１３は、たとえば、車両のダッシュボード付近に設置される。なお、このディスプレイ３１３は、未登録の携帯電話端末３３０に対する機器ＩＤ等の登録を携帯電話端末からおこなうことを促すメッセージや登録済みの携帯電話端末３３０の機器ＩＤ等の削除を促す通知等が表示される。
【００５１】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００５２】
また、通信Ｉ／Ｆ３１４は、ＢＴデバイス３１５を含む。ＢＴデバイス３１５は、携帯電話端末３３０と近距離無線通信をおこない、ハンズフリー通話時の音声情報やインターネットのサイト情報などの送受信をおこなう。ＢＴデバイス３１５は、たとえば、２．４ＧＨｚの電波を利用し、認証した周辺１０ｍ範囲内の携帯電話端末３３０と通信をおこなう。
【００５３】
ＧＰＳユニット３１６は、ＧＰＳ衛星からの電波を受信し、車両の現在地点を示す情報を出力する。ＧＰＳユニット３１６の出力情報は、後述する各種センサ３１７の出力値とともに、ＣＰＵ３０１による車両の現在地点の算出に際して利用される。現在地点を示す情報は、たとえば緯度・経度、高度などの、地図データ上の１点を特定する情報である。
【００５４】
各種センサ３１７は、車速センサ、加速度センサ、角速度センサなどの、車両の位置や挙動を判断することが可能な情報を出力する。各種センサ３１７の出力値は、ＣＰＵ３０１による車両の現在地点の算出や、速度や方位の変化量の測定などに用いられる。
【００５５】
図１に示した無線端末管理装置１００が備える通信部１０１と、登録部１０２と、判断部１０３と、更新部１０４と、認証部１０５と、取得部１０６と、検索部１０７と、受付部１０８と、通知制御部１０９とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００５６】
すなわち、本実施例のナビゲーション装置３００は、ナビゲーション装置３００における記録媒体としてのＲＯＭ３０２に記録されている無線端末管理プログラムを実行することにより、図１に示した無線端末管理装置１００が備える機能を、図２に示した無線端末管理処理手順で実行することができる。
【００５７】
（ナビゲーション装置がおこなう無線端末管理処理の一例）
つぎに、図４を用いて、本実施例にかかるナビゲーション装置３００がおこなう無線端末管理処理の一例について説明する。図４は、本実施例にかかるナビゲーション装置３００がおこなう無線端末管理処理の一例を示すフローチャートである。
【００５８】
図４において、ナビゲーション装置３００は、携帯電話端末３３０と接続するタイミングか否かを判断する（ステップＳ４０１）。ステップＳ４０１における携帯電話端末３３０と接続するタイミングは、たとえば、アクセサリー電源がオンになったとき、やナビゲーション装置の電源がオンになったときが挙げられる。ステップＳ４０１において、携帯電話端末３３０と接続するタイミングとなるまで待機状態にある（ステップＳ４０１：Ｎｏのループ）。
【００５９】
ステップＳ４０１において、携帯電話端末３３０と接続するタイミングであると判断すると（ステップＳ４０１：Ｙｅｓ）、通信Ｉ／Ｆ３１４を制御して、初期通信により機器ＩＤの送信を要求する旨の情報を発信し、周辺の登録済みの携帯電話端末３３０を検索する（ステップＳ４０２）。そして、当該要求に対し携帯電話端末３３０からの応答があるか否かを判断する（ステップＳ４０３）。
【００６０】
たとえば、携帯電話端末３３０から当該携帯電話端末３３０の機器ＩＤ等を通信Ｉ／Ｆ３１４を介して受信したか否かで判断する。応答がないと判断した場合（ステップＳ４０３：Ｎｏ）には、当該要求をしてから所定時間が経過したかを判断する（ステップＳ４０４）。なお、この所定時間が経過したかの判断は、たとえば、所定時間のみという制限付きで当該要求に応答するという機能を有する携帯電話端末３３０を配慮したものである。
【００６１】
そして、所定時間が経過していないと判断した場合（ステップＳ４０４：Ｎｏ）には、ステップＳ４０２に戻り当該所定時間が経過するまで検索をおこなう。所定時間が経過したと判断した場合（ステップＳ４０４：Ｙｅｓ）には、ＢＴデバイス３１５による近距離無線通信の接続をおこなう（ステップＳ４０５）。たとえば、登録済みの携帯電話端末３３０のうち前回接続した携帯電話端末３３０のみに対して接続を試行したり、または、登録済みの携帯電話端末３３０のすべてに対して順次接続を試行したりしておこなわれる。
【００６２】
携帯電話端末３３０からの応答があった場合（ステップＳ４０３：Ｙｅｓ）にはステップＳ４０５に移行しＢＴデバイス３１５による近距離無線通信の接続をおこなう。そして、登録済みの携帯電話端末３３０と近距離無線通信の接続が成功したか否かを判断する（ステップＳ４０６）。接続が成功したと判断した場合（ステップＳ４０６：Ｙｅｓ）には、一連の処理を終了する。接続が成功しないと判断した場合（ステップＳ４０６：Ｎｏ）には、未登録の携帯電話端末３３０が周辺に存在するか否かを判断する（ステップＳ４０７）。
【００６３】
なお、この登録済みの携帯電話端末３３０との近距離無線通信の接続が成功したか否かは、たとえば、当該携帯電話端末３３０からの機器ＩＤや機器名等の情報の受信が成功したか否かで判断することができる。また、未登録の携帯電話端末３３０が周辺に存在するか否かは、周辺の登録済みの携帯電話端末３３０を検索した際、または近距離無線通信の接続をおこなった際に未登録の携帯電話端末３３０の機器ＩＤや機器名等を受信したか否かで判断することができる。
【００６４】
未登録の携帯電話端末３３０が周辺に存在しないと判断した場合（ステップＳ４０７：Ｎｏ）には、利用者に対し携帯電話端末３３０から登録を促すメッセージを表示する（ステップＳ４１４）。未登録の携帯電話端末３３０が周辺に存在すると判断した場合（ステップＳ４０７：Ｙｅｓ）、たとえば、未登録の携帯電話端末３３０が検索された場合には、ＢＴデバイス３１５への接続を許容する登録済みの携帯電話端末３３０の登録数が上限に達しているか否かを判断する（ステップＳ４０８）。
【００６５】
なお、ステップＳ４１４において携帯電話端末３３０から登録を促すメッセージを表示した後は、携帯電話端末３３０によっておこなわれる登録に対する処理をおこなう。つまり、携帯電話端末３３０によっておこなわれるナビゲーション装置３００の検索に対し当該ナビゲーション装置３００が応答することでステップＳ４０７での未登録の携帯電話端末が周辺に存在すると判断し（ステップＳ４０７：Ｙｅｓ）、ステップＳ４０８以降の処理をおこなう。
【００６６】
登録済みの携帯電話端末３３０の登録数が上限に達していると判断した場合（ステップＳ４０８：Ｙｅｓ）には、登録済みの携帯電話端末３３０のうち過去に接続した日時が最も古い履歴の携帯電話端末３３０の機器ＩＤ等を抽出する（ステップＳ４０９）。なお、ステップＳ４０９においては、過去に接続した日時が最も古い履歴の携帯電話端末３３０を抽出することに限らず、所定期間接続していない携帯電話端末３３０を抽出するようにしてもよい。
【００６７】
そして、自動削除設定がオンになっているか否かを判断する（ステップＳ４１０）。なお、自動削除設定は、利用者からの入力を要することなく、登録済みの携帯電話端末３３０の機器ＩＤ等を削除するための設定であり、また予め設定されるものであり、利用者からの入力により、適宜、変更可能とされる。
【００６８】
自動削除設定がオンになっていると判断した場合（ステップＳ４１０：Ｙｅｓ）、最も古い履歴の登録済みの携帯電話端末３３０の機器ＩＤ等を削除する（ステップＳ４１１）。そして、周辺に存在する未登録の携帯電話端末３３０から機器ＩＤ等を取得する（ステップＳ４１２）。なお、この機器ＩＤ等は、上述した検索の際に取得した機器ＩＤ等や、近距離無線通信の接続の際に取得した機器ＩＤをメモリ等に記録しておいて当該メモリ等から取得してもよく、また、取得要求を携帯電話端末３３０に発信して取得するようにしてもよい。そして、取得した機器ＩＤ等を登録、すなわち、磁気ディスク３０５に記録するとともに接続日時を更新し（ステップＳ４１３）、一連の処理を終了する。
【００６９】
また、ＢＴデバイス３１５への接続を許容する携帯電話端末３３０の登録数が上限に達していないと判断した場合（ステップＳ４０８：Ｎｏ）、ステップＳ４１２に移行する。自動削除設定がオンになっていないと判断した場合（ステップＳ４１０：Ｎｏ）、つまり、自動削除設定がオフになっていると判断した場合には、ステップＳ４０９において抽出した最も古い履歴の携帯電話端末３３０の機器ＩＤ等を示す情報を削除するか否かの入力を促す通知をおこなう（ステップＳ４１５）。なお、ステップＳ４１５における通知は、図５に示す画面表示にておこなわれる。なお、この図５の画面表示については後述する。
【００７０】
このあと、利用者により「削除する」が選択されたか否かを判断する（ステップＳ４１６）。利用者により「削除する」が選択された場合（ステップＳ４１６：Ｙｅｓ）には、ステップＳ４１１に移行する。また、「削除しない」が選択された場合（ステップＳ４１６：Ｎｏ）には、一連の処理を終了する。なお、この「削除しない」が選択された際に未登録の携帯電話端末３３０の登録をおこなわない旨を表示するようにしてもよい。
【００７１】
（古い履歴の携帯電話端末を削除するか否かの通知画面の表示の一例）
つぎに、図５を用いて、最も古い履歴の携帯電話端末を削除するか否かの通知画面の表示の一例について説明する。図５は、最も古い履歴の携帯電話端末を削除するか否かの通知画面の表示の一例を示す説明図である。なお、図５に示す通知画面は、ステップＳ４１５において通知される画面を示している。
【００７２】
図５において、通知画面５００には、登録済みの携帯電話端末３３０を示す情報の登録数が上限に達した旨と、最も古い履歴の携帯電話端末３３０を削除するか否かの入力を促す通知がされている。この通知画面５００において、利用者から「削除する」が選択されると、上述したように、過去に接続した日時が最も古い履歴の携帯電話端末３３０を示す情報が削除される。
【００７３】
また、利用者から「削除しない」が選択されると、未登録の携帯電話端末３３０を登録することなく、現時点における携帯電話端末３３０の登録を保持するようになっている。なお、最も古い履歴の携帯電話端末３３０を削除するか否かの入力を促す通知とともに、過去に接続された日時を表示するようにしてもよい。
【００７４】
以上説明したように、本実施例にかかるナビゲーション装置３００によれば、登録済みの携帯電話端末３３０を示す情報の登録数が上限に達していると判断された場合に、登録済みの携帯電話端末３３０を示す情報の登録数を更新するようにしたので、煩雑な操作をともなうことなく、登録数の更新ならびに未登録の携帯電話端末３３０を示す情報の登録をおこなうことができる。したがって、利用者にとって、携帯電話端末３３０の更新に手間のかからないナビゲーション装置３００を提供することができる。
【００７５】
また、本実施例において、携帯電話端末３３０と近距離無線通信をおこなった履歴情報に基づいて、登録済みの携帯電話端末３３０を示す情報の登録数を更新するようにしたので、携帯電話端末３３０を接続した日時を基準にして、登録済みの携帯電話端末３３０の機器ＩＤ等の削除による登録数の更新、または未登録の携帯電話端末３３０の機器ＩＤ等を登録することができる。
【００７６】
また、本実施例において、過去に接続した日時が最も古い履歴の携帯電話端末３３０を示す情報を削除するようにしたので、煩雑な操作をともなうことなく、今後、接続する可能性の低い携帯電話端末３３０を削除することができる。
【００７７】
また、本実施例において、所定期間接続していない携帯電話端末３３０を示す情報を、削除するようにすれば、使用頻度の低い携帯電話端末３３０を示す情報を削除することができるとともに、頻繁に接続する携帯電話端末３３０を示す情報のみを登録させておくことが可能になる。
【００７８】
また、本実施例において、周辺の登録済みの携帯電話端末３３０を検索した結果、登録済みの携帯電話端末３３０が存在せず、かつ、未登録の携帯電話端末３３０が存在する場合、登録済みの携帯電話端末３３０を示す情報の登録数を更新して未登録の携帯電話端末３３０を示す情報を登録するようにしたので、煩雑な操作をともなうことなく、登録の削除および新規の登録をおこなうことができる。
【００７９】
また、本実施例において、登録数の更新の前段階で、利用者に対して更新するか否かの通知をおこなうようにし、利用者から更新する旨の入力を受け付けた場合に、登録済みの携帯電話端末３３０の登録数を更新するようにしたので、更新の都度、利用者の意思を反映させることができるとともに、簡単に、登録の削除および新規の登録をおこなうことができる。
【００８０】
以上説明したように、本発明の無線端末管理装置、無線端末管理方法、無線端末管理プログラム、および記録媒体によれば、煩雑な操作をともなうことなく、登録の削除および新規の登録をおこなうことができる。
【００８１】
なお、本実施例で説明した無線端末管理方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８２】
１００  無線端末管理装置
１０１  通信部
１０２  登録部
１０３  判断部
１０４  更新部
１０５  認証部
１０６  取得部
１０７  検索部
１０８  受付部
１０９  通知制御部
３００  ナビゲーション装置
【国際調査報告】
2009072188.tif 000008
2009072188.tif 000009
2009072188.tif 000010